(57)【要約】【課題】開閉蓋部の開閉操作が容易が行なえ、しかも容器からの不用意な外れを防止して容器への冠着状態を確実に維持することができる蓋体を提供する。【解決手段】容器２の開口部３の一部を閉塞する固定蓋部８と、固定蓋部８にヒンジ部９を介して連設された開閉自在の開閉蓋部１０とで天板部５を構成する。天板部５の周縁に一体に環状のスカート部６を設ける。スカート部６に、容器のネジ部４に螺着する螺着部７を設ける。スカート部６の螺着部７と開閉蓋部１０周縁との間に破断部１２を設ける。破断部１２を破断して開閉蓋部１０を開閉可能としたとき、固定蓋部８及びスカート部６を介して容器への連結状態が維持される。【選択図】　図１
2004035022.tif 000002
【特許請求の範囲】
【請求項１】
容器の上部開口部に冠着され、該開口部の略一側半部を閉塞する固定蓋部と、該固定蓋部にヒンジ部を介して揺動自在に連設されて該開口部の他側半部を開閉自在に閉塞する開閉蓋部とを備える蓋体において、
前記固定蓋部及び前記開閉蓋部からなる天板部の周縁から下方に向って一体に延出する環状のスカート部と、
該スカート部に形成され、前記容器の上端部外周に形成されたネジ部に螺着する螺着部と、
該スカート部の螺着部と前記開閉蓋部の周縁との間に沿って前記ヒンジ部の両端にわたり破断自在に形成された破断部とを備え、
該破断部を破断したとき、前記開閉蓋部は容器のネジ部に螺着されたスカート部から分離してヒンジ部を介して開閉可能とされ、前記固定蓋部は容器のネジ部に螺着されたスカート部を介して容器への連結状態が維持されることを特徴とする蓋体。
【発明の詳細な説明】
【０００１】
【発明の属する技術分野】
本発明は、容器の上部開口部に冠着して、容器内部から内容物を取り出すために一部が開閉する蓋体に関する。
【０００２】
【従来の技術】
従来、この種の蓋体は、特開２０００−２８１１１６号公報に見られるように、比較的大径の開口部を有する容器の上部に冠着される。該蓋体は、容器の開口部の略一側半部を閉塞する固定蓋部と、該固定蓋部にヒンジ部を介して揺動自在に連設されて該開口部の他側半部を開閉自在に閉塞する開閉蓋部とからなる天板部を備え、更に該天板部の周縁から下方に向って一体に延出する環状のスカート部を備えている。また、該スカート部の下縁部には、破断可能線を介してその全周にわたって切除可能な帯状の切除部が形成されている。該切除部は容器を開封する際に切除され、該切除部が切除されることによって蓋体全体が容器の上部から取り外し自在な冠着状態とされると共に、蓋体を容器の上部に取り付けた状態で前記開閉蓋部がヒンジ部を介して揺動し開閉可能とされる。
【０００３】
前記容器は、粉ミルク等の粉体や顆粒を内容物とされるものであり、容器の内容物を取り出す際には、前記開閉蓋部を起立方向に揺動させて容器の開口部の一部を開放させることにより、取り出しの際の容器の開閉作業を極めて簡単に行なうことができる。即ち、粉ミルク等の粉体を収容する容器においては、容器内部から粉ミルク等を取り出すとき、一方の手でスプーンを持ちながら、他方の手で前記開閉蓋部の開閉操作が容易に行なえる。
【０００４】
ところで、粉体や顆粒を内容物とする容器は、胴部の外径が比較的大きく、且つ、内容物の重量も比較的重い。このような容器を持ち上げるときには、両手を用いて胴部をつかむことが望ましい。しかし、取り出し作業時に容器を移動させる場合等には、一方の手でスプーンを持ちながら他方の手のみで容器胴部をつかむことが困難であるため、把持し易い状態に起立する前記開閉蓋部をつまみ上げることが行なわれる場合がある。そして、開閉蓋部をつまみ上げたときには、容器の重量によって蓋体が容器口部から外れ、容器が落下するおそれがある。
【０００５】
【発明が解決しようとする課題】
かかる不都合を解消して、本発明は、開閉蓋部の開閉操作が容易が行なえ、しかも容器からの不用意な外れを防止して容器への冠着状態を確実に維持することができる蓋体を提供することを目的とする。
【０００６】
【課題を解決するための手段】
かかる目的を達成するために、本発明は、容器の上部開口部に冠着され、該開口部の略一側半部を閉塞する固定蓋部と、該固定蓋部にヒンジ部を介して揺動自在に連設されて該開口部の他側半部を開閉自在に閉塞する開閉蓋部とを備える蓋体において、前記固定蓋部及び前記開閉蓋部からなる天板部の周縁から下方に向って一体に延出する環状のスカート部と、該スカート部に形成され、前記容器の上端部外周に形成されたネジ部に螺着する螺着部と、該スカート部の螺着部と前記開閉蓋部の周縁との間に沿って前記ヒンジ部の両端にわたり破断自在に形成された破断部とを備え、該破断部を破断したとき、前記開閉蓋部は容器のネジ部に螺着されたスカート部から分離してヒンジ部を介して開閉可能とされ、前記固定蓋部は容器のネジ部に螺着されたスカート部を介して容器への連結状態が維持されることを特徴とする。
【０００７】
本発明によれば、前記容器を開封するときには、先ず前記破断部を破断する。該破断部は、前記開閉蓋部の周縁に沿って前記ヒンジ部の両端にわたって延設され、前記スカート部の螺着部との間を分離自在に破断するので、該破断部に沿って破断した後には前記開閉蓋部がヒンジ部を介して開閉可能となる。これによって、容器内部からの内容物の取り出すときに、開閉蓋部の開閉操作を容易に行なうことができる。そしてこのとき、前記スカート部は、その螺着部によって容器開口部のネジ部全周にわたって螺着した状態が維持されており、開閉蓋部は、ヒンジ部及び固定蓋部を介してスカート部に連設されているので、開閉蓋部を起立方向に揺動させた状態で、該開閉蓋部をつかみ上げても蓋体が容器から不用意に外れることはなく、容器の落下を確実に防止することができる。
【０００８】
【発明の実施の形態】
本発明の一実施形態を図面に基づいて説明する。図１は本実施形態の蓋体を示す断面説明図、図２は蓋体の開封操作を示す説明図である。
【０００９】
図１に示す本実施形態の蓋体１は、コーヒー、ココア、粉ミルク或いは調味料等の粉体又は顆粒を内容物とする容器２の開口部３に冠着されるものであり、容器２の開口部３を開閉自在に閉塞するものである。
【００１０】
容器２は、合成樹脂、ガラス、又は金属等の剛性を有する材料によって形成されており、開口部３の外周にネジ部４が形成されている。該容器２は、図示しないが、未開封の状態では開口部３の上縁にシート状の封止部材が剥離可能に貼着されており、容器２の内部が気密に封止されている。
【００１１】
蓋体１は、合成樹脂によって形成されており、図１に示すように、円盤状の天板部５と、該天板部５の周縁から下方に延びるスカート部６とによって構成されている。該スカート部６の内周には、前記容器２のネジ部４に螺着される螺着部７が形成されている。
【００１２】
前記天板部５は、容器２の開口部３の略一側半部を覆う略半円形状の固定蓋部８と、該固定蓋部８の直線縁に沿って形成されたヒンジ部９を介して揺動自在に連設され、容器２の開口部３の他側半部を覆う略半円形状の開閉蓋部１０とによって構成されている。固定蓋部８と開閉蓋部１０とはその外周縁が前記スカート部６の上縁に連設されている。開閉蓋部１０とスカート部６との境界には、スコア１１を介して切除可能に連設された切除帯１２が設けられている。該切除帯１２は、スカート部６の螺着部７と開閉蓋部１０の周縁との間に位置し、前記ヒンジ部９の両端にわたって円弧状に設けられている。該切除帯１２が未切除の状態では、開閉蓋部１０とスカート部６とが一体に連設されており、開閉蓋部１０が開閉不能とされている。そして、該切除帯１２が切除されると、開閉蓋部１０とスカート部６とが分離自在とされ、該開閉蓋部１０はヒンジ部９を介して揺動して開閉自在とされる。一方、固定蓋部８は、切除帯１２の切除、非切除にかかわらずスカート部６と一体に連設された状態とされる。
【００１３】
また、開閉蓋部１０の下縁にはその外周に突出する指掛け片１３が形成されており、該指掛け片１３に対応する内側には、容器２の外周に形成された凸部１４に係止する係止部１５が形成されている。
【００１４】
更に、固定蓋部８の下面には、容器２の内部から内容物を取り出す際にすり切り計量を行なうためのすり切り部１６がヒンジ部９に沿って延設されている。該すり切り部９は、その先端縁が開閉蓋部１０の下方に延出されており、該開閉蓋部１０を起立方向に揺動させて開口部３が開放されたとき、該すり切り部１６の先端縁が視認し易く露出される。
【００１５】
以上の構成からなる蓋体１は、次のようにして開閉操作が行なわれる。即ち、未開封の容器を開封するときには、蓋体１を回転させて容器２の上部への螺着を解除させ、容器２から該蓋体１を取外す。そして、容器２の開口部３に貼着されている図示しないシート状の封止部材を剥離させ、開口部３を開放させる。次いで、蓋体１を容器２の開口部３に螺着する。
【００１６】
該容器２の内部から、最初に内容物を取り出すときには、先ず、図２（ａ）に示すように、スカート部６の螺着部７と開閉蓋部１０の周縁との間に設けられた前記切除帯１２をスコア１１に沿って破断し取除く。これにより開閉蓋部１０はスカート部６から分離され、開閉自在とされる。次いで、開閉蓋部１０の外周に設けられた指掛け片１３に指を掛けて、開閉蓋部１０を引き起こす。これによって、図２（ｂ）に示すように、該開閉蓋部１０はヒンジ部９を介して起立方向に揺動し、容器２の開口部３の一部が開放されて容器２の内容物が取り出し可能な状態となる。
【００１７】
このとき、スカート部６はその螺着部７（図１参照）によって容器２の開口部３の外側全周にわたって螺着されて該容器２に強固に連結されている。該スカート部６には、前記固定蓋部８が一体に連設され、更に、該固定蓋部８にはヒンジ部９を介して開閉蓋部１０が連設されている。従って、前記切除帯１２が切除されて開閉蓋部１０が開閉自在とされた状態にあっても、蓋体１と容器２との連結状態は強固に連結された状態が維持されている。これにより、開閉蓋部１０が起立した状態にあるとき、該開閉蓋部１０をつかんで持ち上げても、容器２からの蓋体１の外れが防止され、それによって容器２が落下する事態を確実に回避することができる。
【図面の簡単な説明】
【図１】本発明の一実施形態の蓋体を示す断面説明図。
【図２】蓋体の開封操作を示す説明図。
【符号の説明】
１…蓋体、２…容器、３…開口部、４…ネジ部、５…天板部、６…スカート部、７…螺着部、８…固定蓋部、９…ヒンジ部、１０…開閉蓋部、１２…切除帯（破断部）。
【図１】
2004035022.tif 000003
【図２】
2004035022.tif 000004